(57)【要約】【課題】室内を効率的に冷却することができる空調制御システム、空調制御方法および空調制御プログラムを提供することを課題とする。【解決手段】室内の空気を所定の排出圧力で排出パイプへ送出し、かかる排出パイプから地中へ排出された空気によって地中に形成された地中経路を介して、排出パイプから排出される空気を所定の吸引圧力で吸引して、吸引した空気を室内へ送入することにより、地熱によって冷却された空気を室内に循環させる。【選択図】図１
2011080645.tif 000002
【特許請求の範囲】
【請求項１】
空気を地中へ排出する排出パイプと、
室内の空気を所定の排出圧力で前記排出パイプへ送出する送出部と、
前記排出パイプによって排出された空気によって地中に形成された地中経路を介して、前記排出パイプによって排出された空気を吸引する吸引パイプと、
前記吸引パイプから所定の吸引圧力で吸引した空気を前記室内へ送入する送入部と
を備えたことを特徴とする空調制御システム。
【請求項２】
前記排出パイプから地中へ排出される空気の排出風量が所定の低圧時風量下限閾値以下である場合に、前記排出圧力を第一の圧力に設定制御し、前記排出圧力を第一の圧力に設定制御した後に所定の時間が経過した場合に、前記排出圧力を前記第一の圧力よりも低い第二の圧力に設定制御する制御部をさらに備えたことを特徴とする請求項１に記載の空調制御システム。
【請求項３】
前記制御部は、前記排出風量が前記低圧時風量下限閾値以下である場合に、前記排出風量が所定の高圧時風量上限閾値よりも大きくなるまで前記排出圧力を上げて、前記排出風量が前記高圧時風量上限閾値よりも大きくなった場合に、前記排出圧力を前記第一の圧力に設定制御することを特徴とする請求項２に記載の空調制御システム。
【請求項４】
前記制御部は、前記排出風量が前記高圧時風量上限閾値よりも大きくなるまで前記排出圧力を上げて、該排出圧力が所定の圧力上限閾値よりも大きくなった場合に、前記排出圧力を前記圧力上限閾値以下の圧力に設定制御し、所定の時間が経過した後に、前記排出圧力を前記第一の圧力に設定制御することを特徴とする請求項３に記載の空調制御システム。
【請求項５】
前記室内の空気を冷却する冷却機をさらに備え、
前記制御部は、前記送入部によって前記吸引パイプから吸引された空気の温度が所定の温度閾値以上である場合には、前記排出圧力および前記吸引圧力を減少させるとともに、前記冷却機の動作量を増大させることを特徴とする請求項２〜４のいずれか一つに記載の空調制御システム。
【請求項６】
空気を地中へ排出する排出パイプと、地中から空気を吸引する吸引パイプとを有する空調制御システムが行う空調制御方法であって、
前記空調制御システムは、
前記室内の空気を所定の排出圧力で前記排出パイプへ送出する送出ステップと、
前記排出パイプによって排出された空気によって地中に形成された地中経路を介して前記排出パイプによって排出された空気を、吸引パイプから所定の吸引圧力で吸引し、吸引した空気を前記室内へ送入する送入ステップと、
前記排出パイプから地中へ排出される空気の排出風量が所定の低圧時風量下限閾値以下である場合に、前記排出圧力を第一の圧力に設定制御し、前記排出圧力を第一の圧力に設定制御した後に所定の時間が経過した場合に、前記排出圧力を前記第一の圧力よりも低い第二の圧力に設定制御する制御ステップと
を実行することを特徴とする空調制御方法。
【請求項７】
空気を地中へ排出する排出パイプと、地中から空気を吸引する吸引パイプとを有する空調制御システムを制御するコンピュータに空調制御を実行させる空調制御プログラムであって、
前記コンピュータに、
前記室内の空気を所定の排出圧力で前記排出パイプへ送出する送出手順と、
前記排出パイプによって排出された空気によって地中に形成された地中経路を介して前記排出パイプによって排出された空気を、吸引パイプから所定の吸引圧力で吸引し、吸引した空気を前記室内へ送入する送入手順と、
前記排出パイプから地中へ排出される空気の排出風量が所定の低圧時風量下限閾値以下である場合に、前記排出圧力を第一の圧力に設定制御し、前記排出圧力を第一の圧力に設定制御した後に所定の時間が経過した場合に、前記排出圧力を前記第一の圧力よりも低い第二の圧力に設定制御する制御手順と
を実行させることを特徴とする空調制御プログラム。
【発明の詳細な説明】
【技術分野】
【０００１】
本発明は、空調制御システム、空調制御方法および空調制御プログラムに関する。
【背景技術】
【０００２】
サーバや通信機器などの電子機器を収容するデータセンタ等では、室内に配設された各種電子機器が誤動作しないように、室内を常に一定温度以下に保つことが望ましい。したがって、データセンタ等では、通常は室内外に設けられた空調機を用いて室内を一定温度以下に保つことになるが、空調機で室内を冷却する際には電子機器の動作に必要な電力に加えて空調機を運転するための電力やエネルギーが必要になり、この余分な電力により生ずる二酸化酸素（ＣＯ２）の排出が環境上の問題となる。
【０００３】
このため、データセンタ等では、二酸化酸素（ＣＯ２）の排出量を削減するために冷却効率を高める技術が提案されている。具体的には、電子機器の処理負荷を均等に分散させて室内温度をなるべく均等にしたり、電子機器の発熱量に応じて空調機の温度や風量を制御する技術が提案されている。このような技術を用いた場合には、空調機の動作効率が向上するので、余分な電力を削減させることが期待できる。
【０００４】
また、室内を冷暖房する際に、地熱を利用する空調制御システムも知られている。例えば、地中にパイプを埋設して、地中で冷却されたパイプ内の液体や気体を用いて室内を冷却する技術が提案されている。また、圧入管によって室内の空気を地中に排出して地中の温度を上昇させ、地中の空気を室内に循環させることで、室内の温度を上昇させる技術も提案されている。このような地熱を用いた空調制御システムは、主に、個人の家や公共施設などに利用されることが多い。
【先行技術文献】
【特許文献】
【０００５】
【特許文献１】特開昭６３−１８９７４３号公報
【特許文献２】特開２０００−９７５８６号公報
【特許文献３】特開２００３−２４７７３１号公報
【特許文献４】特開２００４−３０１４７０号公報
【特許文献５】特開２００５−００９７３７号公報
【発明の概要】
【発明が解決しようとする課題】
【０００６】
しかしながら、上記従来技術のいずれを用いたとしても、発熱量が大きいデータセンタ等の室内を効率良く冷却できないという問題がある。具体的には、電子機器の処理負荷を均等に分散させる従来技術や、電子機器の発熱量に応じて空調機を制御する従来技術は、空調機の効率化にとどまり余分な電力削減には限界があった。結果的に、室内に多数配設された電子機器が稼働するような発熱密度の高いデータセンタ等の冷却では空調機を運転するための余分な電力も大きく、余分な二酸化炭素（ＣＯ２）の排出量も大きかった。
【０００７】
また、地熱を利用する空調制御システムの場合には、あくまでも地中に埋設したパイプの表面を介した地層との熱交換によってパイプ内の液体や気体を冷却するものなので、冷却効率はパイプの表面積に依存する。このため、埋設するパイプの表面積を大きくすることが考えられるが、太いパイプを埋設するための人的労力並びに所要時間は膨大であり、また表面積を大きくするにも限界がある。このため、地熱を利用する従来の空調制御システムは、個人の家等に採用するには適切であるかも知れないが、データセンタ等の発熱量が大きい室内を冷却するには不向きである。
【０００８】
また、圧入管によって室内の空気を地中に排出する従来技術は、単に温度の高い空気を地中に一時的に蓄える技術にすぎず、室内の温度を冷却する場合には適用することができない。
【０００９】
開示の技術は、上記に鑑みてなされたものであって、室内を効率的に冷却することができる空調制御システム、空調制御方法および空調制御プログラムを提供することを目的とする。
【課題を解決するための手段】
【００１０】
本願の開示する空調制御システムは、一つの態様において、空気を地中へ排出する排出パイプと、室内の空気を所定の排出圧力で前記排出パイプへ送出する送出部と、前記排出パイプによって排出された空気によって地中に形成された経路を介して、前記排出パイプによって排出された空気を吸引する吸引パイプと、前記吸引パイプから所定の吸引圧力で吸引した空気を前記室内へ送入する送入部とを備える。
【発明の効果】
【００１１】
本願の開示する空調制御システムの一つの態様によれば、室内を効率的に冷却することができるという効果を奏する。
【図面の簡単な説明】
【００１２】
【図１】図１は、実施例１に係る空調制御システムの構成例を示す図である。
【図２】図２は、実施例２に係る空調制御システムの構成例を示す図である。
【図３】図３は、実施例２における制御部による排出圧力制御の概要を説明するための図である。
【図４】図４は、実施例２における制御部による吸引圧力制御の一例を説明するための図である。
【図５】図５は、高圧モード時における制御部による排出圧力制御の一例を説明するための図である。
【図６】図６は、高圧モード時における制御部による排出圧力制御の一例を説明するための図である。
【図７】図７は、高圧モード時における制御部による排出圧力制御の一例を説明するための図である。
【図８】図８は、高圧モード時における制御部による排出圧力制御の一例を説明するための図である。
【図９】図９は、低圧モード時における制御部による排出圧力制御の一例を説明するための図である。
【図１０】図１０は、高圧モード時における制御部による排出圧力制御を示すフローチャートである。
【図１１】図１１は、低圧モード時における制御部による排出圧力制御を示すフローチャートである。
【図１２】図１２は、第２の圧力の具体例を説明するための図である。
【図１３】図１３は、パイプ間の距離と温度との関係を示す図である。
【図１４】図１４は、排出パイプおよび吸引パイプの埋設位置の一例を示す図である。
【図１５】図１５は、排出パイプおよび吸引パイプの埋設位置の一例を示す図である。
【図１６】図１６は、排出パイプおよび吸引パイプの埋設位置の一例を示す図である。
【図１７】図１７は、圧縮ポンプの構成例を示す図である。
【図１８】図１８は、実施例４における制御部の制御を示すフローチャートである。
【図１９】図１９は、実施例４における制御部の制御を説明するための図である。
【図２０】図２０は、空調制御プログラムを実行するコンピュータを示す図である。
【発明を実施するための形態】
【００１３】
以下に、本願の開示する空調制御システム、空調制御方法および空調制御プログラムの実施例を図面に基づいて詳細に説明する。なお、この実施例により本願の開示する空調制御システム、空調制御方法および空調制御プログラムが限定されるものではない。
【実施例１】
【００１４】
まず、図１を用いて、実施例１に係る空調制御システムの構成について説明する。図１は、実施例１に係る空調制御システムの構成例を示す図である。なお、図１中に図示した「矢印」は、空気の流れの一例を示す。
【００１５】
図１に示すように、実施例１に係る空調制御システム１は、地中２に埋設された排出パイプ４および吸引パイプ５と、部屋３と接続されている送出部６および送入部７とを有する。
【００１６】
排出パイプ４は、空気を地中２へ排出する。図１に示した例では、排出パイプ４は、孔を有しており、孔を介して地中２へ空気を排出する。吸引パイプ５は、排出パイプ４によって排出された空気によって地中に形成された経路（以下、「地中経路」と言う）を介して、排出パイプ４によって排出された空気を吸引する。図１に示した例では、吸引パイプ５は、孔を有しており、孔を介して地中２から空気を吸引する。
【００１７】
送出部６は、部屋３の室内の空気を、所定の圧力（以下、「排出圧力」と言う）で排出パイプ４へ送出する。送入部７は、吸引パイプ５から所定の圧力（以下、「吸引圧力」と言う）で空気を吸引し、吸引した空気を部屋３の室内へ送入する。送出部６および送入部７はそれぞれ排出圧力と吸引圧力を可変する機能を有しており、地中経路の形成状況に応じて室内の空調に必要な所望の風量を得られるよう最適な排出圧力と吸引圧力に設定される。なお、一般の土壌は空隙率の小さな土壌の塊、小石などさまざまな性質の土壌が混在している。排出圧力を適正に制御することにより、空隙率の小さな土壌に空気経路を形成したり、小石を移動させたり、石の周囲に空気経路を形成したりなどして排出パイプ４から吸引パイプ５に循環する地中経路が形成される。
【００１８】
上述してきたように、実施例１に係る空調制御システム１は、室内の空気を排出パイプ４から排出し、排出パイプ４から排出された空気を少なくとも一部分が排出空気によって形成された地中経路を介して吸引パイプ５から吸引して室内に戻す。これにより、実施例１に係る空調制御システム１は、室内の空気を地中２の地熱で効率的に冷却することができる。
【００１９】
具体的には、室内の空気を地中に埋設したパイプ内で冷却する従来技術は、上述したように、パイプの表面で熱交換が行われるので冷却効率が低かった。一方、実施例１に係る空調制御システム１は、室内の空気を地中２に送出するので、地中２で拡散した空気を地熱によって冷却することができる。すなわち、実施例１に係る空調制御システム１は、上述した従来技術のように冷却効率がパイプの表面積に依存することがないので、室内の空気を効率的に冷却することができる。
【００２０】
また、実施例１に係る空調制御システム１は、部屋３、排出パイプ４、地中２に形成された地中経路、吸引パイプ５の順に、室内の空気を循環させる。すなわち、実施例１に係る空調制御システム１は、部屋３の室内の空気を地中２に廃棄するのではなく、排出した空気を循環させる。このため、実施例１に係る空調制御システム１は、例えば、地中や室外に空気を放出するだけの従来技術と比較して、高温の空気を再利用するので環境に良いと言える。
【実施例２】
【００２１】
次に、上記実施例１において説明した空調制御システムについて具体例を用いて説明する。実施例２では、実施例１において説明した空調制御システムをデータセンタに適用する例について説明する。また、実施例２では、地中経路を形成する処理についても説明する。
【００２２】
［実施例２に係る空調制御システムの構成］
まず、図２を用いて、実施例２に係る空調制御システムの構成について説明する。図２は、実施例２に係る空調制御システム１００の構成例を示す図である。なお、図２中に図示した「矢印」は、空気の流れの一例を示す。
【００２３】
図２に示した空調制御システム１００は、土壌１２の上に建てられた建物１０に適用されている。土壌１２は、石や、礫、砂などであり、地盤１１の上に形成されている。図２に示した例では、建物１０は、建物基礎１３ａおよび１３ｂが地盤１１および土壌１２に埋設されることで、土壌１２上に固定されている。
【００２４】
図２に示した建物１０は、データセンタであるものとする。かかる建物１０は、図２に示すように、計算機室１１０を有する。また、建物１０は、計算機室１１０の室外に、圧縮ポンプ１２０と、ブロワ１３０と、冷却機１４０と、制御部１５０と、排出パイプ１６１と、吸引パイプ１６２とを有する。また、土壌１２には、圧力センサ１７１と、風量センサ１７２と、温度センサ１７３ａおよび１７３ｂとが埋設されている。
【００２５】
計算機室１１０は、電子機器１１１ａ〜１１１ｄが設置されている。電子機器１１１ａ〜１１１ｄは、例えば、サーバ、記憶装置、ルータやスイッチングハブなどの通信機器や、無停電電源装置（ＵＰＳ：Uninterruptible  Power  Supply）である。このような電子機器１１１ａ〜１１１ｄは、動作時に発熱するので、計算機室１１０の室温を上昇させる。
【００２６】
また、図２に示すように、計算機室１１０は、天井に天井裏通風路１１２を有する。天井裏通風路１１２は、空気が流通可能な通路である。かかる天井裏通風路１１２は、通風路１１４を介して圧縮ポンプ１２０と接続されている。通風路１１４は、天井裏通風路１１２と圧縮ポンプ１２０との間で空気の移動を可能にする通路である。また、天井裏通風路１１２は、空気混合部１１６を介して冷却機１４０と接続されている。
【００２７】
また、図２に示すように、計算機室１１０は、床下に床下通風路１１３を有する。床下通風路１１３は、空気が移動可能な通路である。かかる床下通風路１１３は、冷却機１４０と接続されており、冷却機１４０から空気を排出される。
【００２８】
圧縮ポンプ１２０は、計算機室１１０の室内の空気を、所定の排出圧力で排出パイプ１６１へ送出する。具体的には、圧縮ポンプ１２０は、天井裏通風路１１２と通風路１１４とを介して計算機室１１０から送り込まれた空気を、所定の排出圧力で排出パイプ１６１へ送出する。かかる「排出圧力」の値は、後述する制御部１５０によって制御される。なお、圧縮ポンプ１２０および制御部１５０は、図１に示した送出部６に対応する。
【００２９】
ブロワ１３０は、吸引パイプ１６２から所定の吸引圧力で空気を吸引し、吸引した空気を計算機室１１０の室内へ送入する。具体的には、ブロワ１３０は、吸引パイプ１６２から吸引した空気を、通風路１１５と空気混合部１１６と冷却機１４０と床下通風路１１３とを介して、計算機室１１０の室内へ送入する。かかる「吸引圧力」の値は制御部１５０によって制御される。なお、ブロワ１３０および制御部１５０は、図１に示した送入部７に対応する。
【００３０】
冷却機１４０は、空気混合部１１６から吸気した空気を冷却して、冷却した空気を床下通風路１１３へ送り込む。例えば、冷却機１４０は、天井裏通風路１１２と空気混合部１１６とを介して、計算機室１１０の空気を吸気して、吸気した空気を冷却した後に床下通風路１１３へ送り込む。また、例えば、冷却機１４０は、ブロワ１３０によって吸引パイプ１６２から吸引された空気を冷却した後に床下通風路１１３へ送り込む。
【００３１】
排出パイプ１６１は、空気を土壌１２へ排出する。具体的には、排出パイプ１６１は、孔１６１−１および１６１−２を有し、孔１６１−１および１６１−２を介して土壌１２へ空気を排出する。吸引パイプ１６２は、土壌１２から空気を吸引する。具体的には、吸引パイプ１６２は、孔１６２−１および１６２−２を有し、孔１６２−１および１６２−２を介して土壌１２から空気を吸引する。上述した排出パイプ１６１および吸引パイプ１６２は、例えば、空気が移動自在な中空部分を有する円柱または四角柱などの形状に形成されている。
【００３２】
なお、孔１６１−１および１６１−２や、孔１６２−１および１６２−２の面積は、地表に近い位置に形成されているほど小さく、地中の深い位置に形成されているほど大きいことが好ましい。これにより、各孔からほぼ等しい風量で空気を排出することができる。また、吸引パイプ１６２の孔１６２−１および１６２−２は、石や、砂、水、不要な液体や気体、バクテリア、化学物質などを除去するフィルタを有してもよい。
【００３３】
圧力センサ１７１は、圧力を検知する。図２に示した例では、圧力センサ１７１は、排出パイプ１６１の排出圧力を検知する。風量センサ１７２は、風量を検知する。図２に示した例では、風量センサ１７２は、排出パイプ１６１から土壌１２へ排出される排出風量を検知する。なお、図２に示した例では圧力センサ１７１および風量センサ１７２は土壌１２中に設置されているが、排出パイプ１６１内の孔１６１−１、１６１−２に設置されてもよい。温度センサ１７３ａおよび１７３ｂは、土壌１２内の温度を検知する。
【００３４】
制御部１５０は、実施例２に係る空調制御システム１００を制御する。実施例２における制御部１５０は、図２に図示することを省略したが、圧縮ポンプ１２０、ブロワ１３０、冷却機１４０、圧力センサ１７１、風量センサ１７２、温度センサ１７３ａおよび１７３ｂと有線または無線で接続されている。そして、制御部１５０は、圧力センサ１７１によって検知された排出圧力や、風量センサ１７２によって検知された排出風量に基づいて、圧縮ポンプ１２０の排出圧力や、ブロワ１３０の吸引圧力などを制御する。
【００３５】
ここで、制御部１５０による排出圧力制御や吸引圧力制御について説明する。以下では、まず、図３および図４を用いて、制御部１５０による排出圧力制御や吸引圧力制御の概要を説明し、次に、図５〜図９を用いて、制御部１５０による排出圧力制御について詳細に説明する。図３は、実施例２における制御部１５０による排出圧力制御の概要を説明するための図である。図３に示した縦軸は圧力または風量を示し、横軸は時間を示す。また、図３中の実線は排出パイプ１６１の排出圧力を示し、点線は排出パイプ１６１の排出風量を示す。また、図３に示した例において、時間「０」は、実施例２に係る空調制御システム１００が導入後に初期起動した時点を示すものとする。
【００３６】
図３に示した例において、制御部１５０は、初期起動する場合に、地中経路を形成するために、排出風量が高圧時風量上限閾値Ｑ１１に達するまで、圧縮ポンプ１２０の排出圧力を上げる。そして、制御部１５０は、排出風量が高圧時風量上限閾値Ｑ１１に達した場合に、圧縮ポンプ１２０の排出圧力を、第１の圧力Ｐ１１に設定制御する。そして、制御部１５０は、所定の時間が経過するまで、圧縮ポンプ１２０の排出圧力を第１の圧力Ｐ１１に固定する。これにより、制御部１５０は、地中２に地中経路を形成することができる。以下では、地中経路を形成する期間を「第１期間」と呼ぶことがある。また、圧縮ポンプ１２０の排出圧力を高圧に設定制御する動作状態を「高圧モード」と呼ぶことがある。すなわち、制御部１５０は、第１期間では、圧縮ポンプ１２０を高圧モードで動作させる。
【００３７】
上記例において、排出風量が高圧時風量上限閾値Ｑ１１に達するまで排出圧力を上げる理由は、例えば、第１の圧力Ｐ１１では取り除けないような石などを取り除いたり、大きな石を回避して大きな石の周囲に地中経路を形成したり、空隙率が小さかったり粘度が高い土壌の塊に空隙を形成するためである。また、上記例において、排出風量が高圧時風量上限閾値Ｑ１１に達した場合に排出圧力を第１の圧力Ｐ１１に設定制御する理由は、圧縮ポンプ１２０の排出圧力を上げすぎると、圧縮ポンプ１２０内の空気が上昇してしまうおそれがあるからである。したがって、上記例において、制御部１５０は、排出風量が高圧時風量上限閾値に達した場合には、第１の圧力Ｐ１１では取り除けないような石などが取り除けたか、あるいは、大きな石の周囲や空隙率の小さな土壌に地中経路が形成されたと判定して、排出圧力を第１の圧力Ｐ１１に設定制御する。
【００３８】
続いて、図３に示した例において、制御部１５０は、所定の時間が経過した後に、圧縮ポンプ１２０の排出圧力を、低圧である第２の圧力Ｐ２１に設定制御する。これにより、圧縮ポンプ１２０は、計算機室１１０の室内の空気を第２の圧力Ｐ２１で排出パイプ１６１へ送出することになる。排出パイプ１６１へ送出された空気は、排出パイプ１６１から、土壌１２に形成された地中経路へ排出され、地熱によって冷却される。地熱によって冷却された空気は、吸引パイプ１６２を介してブロワ１３０によって吸引され、計算機室１１０へ送りこまれる。以下では、地中経路を介して計算機室１１０の空気を低圧の排気圧力で循環させる期間を「第２期間」と呼ぶことがある。また、圧縮ポンプ１２０の排出圧力を低圧に設定制御する動作状態を「低圧モード」と呼ぶことがある。すなわち、制御部１５０は、第２期間では、圧縮ポンプ１２０を低圧モードで動作させる。
【００３９】
上記例において、第２期間で排出圧力を第２の圧力Ｐ２１に設定制御する理由は、地中経路が形成されている場合には、低圧で空気を土壌１２へ排出しても、空気が地中経路内を移動して吸引パイプ１６２へ達するからである。言い換えれば、地中経路が形成されている場合には、排出圧力を低圧にしても、計算機室１１０の室内の空気を、土壌１２を経由して循環させることができる。このように、制御部１５０は、第２期間に、低圧である第２の圧力Ｐ２１によって、計算機室１１０の室内の空気を循環させることにより、圧縮ポンプ１２０で空気の温度が上昇することを防止でき、その結果、室内の空気を効率的に冷却することができる。また、制御部１５０は、第２期間に、圧縮ポンプ１２０の排出圧力を低圧にすることにより、消費電力を低減することができる。
【００４０】
その後、制御部１５０は、第２期間に、排出風量が所定の低圧時風量下限閾値Ｑ２３以下になった場合に、再度、圧縮ポンプ１２０を高圧モードで動作させる。具体的には、制御部１５０は、排出風量が高圧時風量上限閾値Ｑ１１に達するまで、圧縮ポンプ１２０の排出圧力を上げ、排出風量が高圧時風量上限閾値Ｑ１１に達した場合に、圧縮ポンプ１２０の排出圧力を、第１の圧力Ｐ１１に設定制御する。そして、制御部１５０は、圧縮ポンプ１２０の排出圧力を第１の圧力Ｐ１１に設定制御してから所定の時間が経過した後に、圧縮ポンプ１２０を低圧モードで動作させる。
【００４１】
上記例において、排出風量が所定の低圧時風量下限閾値Ｑ２３以下になった場合に、圧縮ポンプ１２０を高圧モードで動作させる理由は、地中経路が塞がってしまった可能性があるからである。地中経路は、土壌１２内に形成されているため、時間経過とともに石や礫、砂などで塞がってしまうことがある。そこで、制御部１５０は、排出風量が減少した場合に、圧縮ポンプ１２０を高圧モードで再度動作させることにより、地中経路を再形成することができる。
【００４２】
次に、図４を用いて、実施例２における制御部１５０による吸引圧力制御について説明する。図４は、実施例２における制御部１５０による吸引圧力制御の一例を説明するための図である。図４に示した縦軸および横軸は図３に示した例と同様である。また、図４中の実線は吸引圧力を示し、点線は吸引パイプ１６２によって吸引される風量である吸引風量を示す。図４では吸引圧力および吸引風量は負の数値で示されている。すなわち、図４で下方にいくほど吸引圧力および吸引風量は大きい。
【００４３】
図４に示した例では、制御部１５０は、第１期間または第２期間のいずれかに関わらず、ブロワ１３０の吸引圧力を所定の吸引圧力Ｐ３１に固定する。なお、制御部１５０による吸引圧力の制御は、図４に示した例に限られない。制御部１５０は、例えば、第１期間では、吸引圧力を高圧に設定制御してもよい。これにより、制御部１５０は、第１期間に、地中経路を形成しやすくすることができる。また、制御部１５０は、例えば、第２期間では、吸引圧力を低圧に設定制御してもよい。これにより、制御部１５０は、第２期間に、ブロワ１３０で空気の温度が上昇してしまうことを防止できるとともに、消費電力を低減することができる。
【００４４】
このように、制御部１５０は、圧縮ポンプ１２０の排出圧力と、ブロワ１３０の吸引圧力を制御することにより、第１期間で地中経路を形成することができ、第２期間で効率的に計算機室１１０の室内の空気を土壌１２に循環させることができる。さらに、制御部１５０は、形成した地中経路が塞がったおそれがある場合であっても、地中経路を再形成することができる。
【００４５】
次に、図５〜図８を用いて、高圧モード時における制御部１５０による排出圧力制御について詳細に説明する。図５〜図８は、高圧モード時における制御部１５０による排出圧力制御の一例を説明するための図である。
【００４６】
図５に示した例において、制御部１５０は、まず、排出パイプ１６１の排出風量が高圧時風量上限閾値Ｑ１１に達するまで、圧縮ポンプ１２０の排出圧力を上げる。図５に示した例では、排出パイプ１６１の排出風量が高圧時風量上限閾値Ｑ１１に達したので、制御部１５０は、圧縮ポンプ１２０の排出圧力を、第１の圧力Ｐ１１に設定制御する。そして、制御部１５０は、排出圧力を第１の圧力Ｐ１１に設定してから所定の時間ｔ１２が経過した後に、圧縮ポンプ１２０の排出圧力を低圧モード時（第２期間）の初期値である第２の圧力Ｐ２１に設定制御して、低圧モードへ移行する。この際の第２の圧力Ｐ２１の値には標準のデフォルト値が使用される。ｔ１２の時間を設ける理由は、地中経路の形成が十分なものかを判定するためである。圧力を第１の圧力Ｐ１１に下げてもｔ１２の時間に高圧時風量下限閾値Ｑ１２以上の風量を維持できれば、形成された地中経路は十分なものと判定する。図５に示した例は、図３に示した例と同様である。
【００４７】
続いて、図６に示した例において、制御部１５０は、図５に示した例と同様に、まず、排出風量が高圧時風量上限閾値Ｑ１１に達するまで、圧縮ポンプ１２０の排出圧力を上げる。図６に示した例の場合、排出風量が高圧時風量上限閾値Ｑ１１に達する前に、排出パイプ１６１の排出圧力が所定の圧力上限閾値Ｐ１２に達したので、制御部１５０は、圧縮ポンプ１２０の排出圧力を上げることを停止する。そして、制御部１５０は、圧縮ポンプ１２０の排出圧力を圧力上限閾値Ｐ１２に固定し、排出風量が高圧時風量上限閾値Ｑ１１に達した場合に、圧縮ポンプ１２０の排出圧力を、第１の圧力Ｐ１１に設定制御する。そして、制御部１５０は、図５に示した例と同様に、排出圧力を第１の圧力Ｐ１１に設定してから所定の時間ｔ１２が経過した後に、圧縮ポンプ１２０の排出圧力を低圧モード時（第２期間）の初期値である第２の圧力Ｐ２１に設定制御して、低圧モードへ移行する。この際の第２の圧力Ｐ２１の値には図５の場合と同様に標準のデフォルト値が使用される。ｔ１２を設ける理由は図５の説明と同様である。
【００４８】
図６に示した例において、排出パイプ１６１の排出圧力が所定の圧力上限閾値Ｐ１２に達した場合に排出圧力を上げることを停止する理由は、排出圧力を上げすぎると、土壌１２に固定の地中経路しか形成されないおそれがあるからである。また、排出圧力を上げすぎると、消費電力が増大してしまうおそれや、圧縮ポンプ１２０で空気が高温になり、冷却効率が低下するおそれがあるからである。
【００４９】
続いて、図７に示した例において、制御部１５０は、まず、排出風量が高圧時風量上限閾値Ｑ１１に達するまで、圧縮ポンプ１２０の排出圧力を上げる。そして、制御部１５０は、排出風量が高圧時風量上限閾値Ｑ１１に達する前に、排出圧力が所定の圧力上限閾値Ｐ１２に達したので、図６に示した例と同様に、圧縮ポンプ１２０の排出圧力を上げることを停止する。そして、制御部１５０は、圧縮ポンプ１２０の排出圧力を圧力上限閾値Ｐ１２に固定し、排出風量が高圧時風量上限閾値Ｑ１１に達した場合に、圧縮ポンプ１２０の排出圧力を、第１の圧力Ｐ１１に設定制御する。図７に示した例の場合、排出圧力を第１の圧力Ｐ１１に設定してから所定の時間ｔ１２が経過する前に、排出風量が、所定の高圧時風量下限閾値Ｑ１２より小さくなっている。この場合は、地中経路が形成されてはいるが、地中経路の抵抗が大きいと判定する。かかる場合に、制御部１５０は、排出風量が高圧時風量下限閾値Ｑ１２より小さくなった時点で、圧縮ポンプ１２０の排出圧力を低圧モード時（第２期間）の初期値である第２の圧力Ｐ２１に設定制御して、低圧モードへ移行する。しかし、図７の場合に使用される第２の圧力Ｐ２１の値は、図５や図６の標準のデフォルト値よりも大きな値が使用される。これは、図７の場合は、図５や図６の場合よりも地中経路の抵抗が大きいと判断したためである。なお、図７では排出風量が所定の高圧時風量下限閾値Ｑ１２より小さくなった場合に低圧モードへ移行させているが、これはｔ１２の時間を経過しなくても地中経路の抵抗が大きいと判定できるためである。なお、図７の例の場合でもｔ１２の時間が経過してから低圧モードに移行してもよい。
【００５０】
続いて、図８に示した例において、制御部１５０は、まず、排出風量が高圧時風量上限閾値Ｑ１１に達するまで、圧縮ポンプ１２０の排出圧力を上げる。そして、制御部１５０は、排出風量が高圧時風量上限閾値Ｑ１１に達する前に、排出圧力が所定の圧力上限閾値Ｐ１２に達したので、図６に示した例と同様に、圧縮ポンプ１２０の排出圧力を上げることを停止する。そして、制御部１５０は、圧縮ポンプ１２０の排出圧力を圧力上限閾値Ｐ１２に固定する。図８に示した例の場合、第１期間または高圧モードに移行してから所定の時間ｔ１１が経過しても、排出風量が高圧時風量上限閾値Ｑ１１に達していない。この場合には、これ以上高圧モードを継続しても所望の風量を得るだけの地中経路形成は困難と判断する。かかる場合に、制御部１５０は、所定の時間ｔ１１が経過した時点で、圧縮ポンプ１２０の排出圧力を低圧モード（第２期間）の初期値である第２の圧力Ｐ２１に設定制御して、低圧モードへ移行する。この場合に使用する第２の圧力Ｐ２１の値およびその他の動作については、後述する。
【００５１】
次に、図９を用いて、低圧モード時における制御部１５０による排出圧力制御について詳細に説明する。図９は、低圧モード時における制御部１５０による排出圧力制御の一例を説明するための図である。
【００５２】
図９に示した例において、制御部１５０は、低圧モードにおいて、排出パイプ１６１の排出風量が低圧時風量上限閾値Ｑ２１以上である場合には、排出圧力を下げる。なお、排出圧力が低圧時風量上限閾値Ｑ２１以上である場合には、計算機室１１０内の空気は、土壌１２を経由して十分に循環するものとする。すなわち、排出圧力が低圧時風量上限閾値Ｑ２１以上であれば、計算機室１１０内の空気を十分に循環することができるので、制御部１５０は、排出圧力を下げる。このように、制御部１５０は、排出圧力を下げることにより、圧縮ポンプ１２０で空気が上昇してしまうことを防止できるとともに、消費電力を低減することができる。
【００５３】
そして、制御部１５０は、図９に示した例のように、排出パイプ１６１の排出風量が低圧時風量下限閾値Ｑ２２以下になった場合に、圧縮ポンプ１２０の排出圧力を上げる。制御部１５０は、排出風量が低圧時風量下限閾値Ｑ２２以下になるたびに、圧縮ポンプ１２０の排出圧力を上げる。このとき、制御部１５０は、排出パイプ１６１の排出圧力が低圧時圧力上限閾値Ｐ２２に達した場合には、排出圧力を上げることを停止する。そして、制御部１５０は、排出パイプ１６１の排出風量が低圧時風量下限閾値Ｑ２３以下になった場合には、地中経路が塞がったと判定して、高圧モードへ移行する。
【００５４】
このように、制御部１５０は、排出パイプ１６１の排出風量に基づいて、圧縮ポンプ１２０の排出圧力を調整する。そして、制御部１５０は、圧縮ポンプ１２０の排出圧力を低圧時圧力上限閾値Ｐ２２に設定しても、排出パイプ１６１の排出風量が低圧時風量下限閾値Ｑ２３以下になる場合には、高圧モードへ移行する。
【００５５】
［高圧モード時における制御部１５０による排出圧力制御］
次に、図１０を用いて、高圧モード時における制御部１５０による排出圧力制御について説明する。図１０は、高圧モード時における制御部１５０による排出圧力制御を示すフローチャートである。なお、以下では、図５〜図８に示した例を用いつつ、制御部１５０による排出圧力制御について説明する。
【００５６】
図１０に示すように、制御部１５０は、高圧モード時に、まず、圧縮ポンプ１２０の排出圧力を所定の値に設定制御する（ステップＳ１０１）。ここで言う「所定の値」とは、例えば、第１の圧力である。
【００５７】
続いて、制御部１５０は、風量センサ１７２から排出パイプ１６１の排出風量を取得し、取得した排出風量が高圧時風量上限閾値Ｑ１１よりも大きいか否かを判定する（ステップＳ１０２）。そして、制御部１５０は、排出風量が高圧時風量上限閾値Ｑ１１以下である場合には（ステップＳ１０２否定）、圧力センサ１７１から排出圧力を取得し、取得した排出圧力が圧力上限閾値Ｐ１２よりも大きいか否かを判定する（ステップＳ１０３）。
【００５８】
そして、制御部１５０は、排出パイプ１６１の排出圧力が圧力上限閾値Ｐ１２以下である場合には（ステップＳ１０３否定）、圧縮ポンプ１２０の排出圧力を上げて（ステップＳ１０４）、ステップＳ１０２における処理に戻る。一方、制御部１５０は、排出パイプ１６１の排出圧力が圧力上限閾値Ｐ１２よりも大きい場合には（ステップＳ１０３肯定）、高圧モードに移行してから所定の時間ｔ１１が経過したか否かを判定する（ステップＳ１０５）。
【００５９】
そして、制御部１５０は、所定の時間ｔ１１が経過していない場合には（ステップＳ１０５肯定）、ステップＳ１０２における処理に戻り、圧力上限閾値Ｐ１２を維持する。一方、制御部１５０は、排出風量が上限閾値Ｑ１１以下にもかかわらず所定の時間ｔ１１が経過している場合には（ステップＳ１０５否定）、低圧時風量上限閾値Ｑ２１、低圧時風量下限閾値Ｑ２２およびＱ２３の値を下げて（ステップＳ１０６）、低圧モードへ移行する（ステップＳ１０７）。
【００６０】
排出風量が高圧時風量上限閾値Ｑ１１よりも大きくなる前に所定の時間ｔ１１が経過する例は、図８に示した例に該当する。図８に示した例の場合には、空気を高圧で土壌１２へ排出しても、所望の風量を得られるだけの地中経路が形成されない可能性がある。ただし、空気を高圧で土壌１２へ排出したので、少量の空気が移動する地中経路は形成されていると考えられる。そこで、制御部１５０は、所定の時間ｔ１１が経過した場合には、形成された地中経路を用いて空気の循環を行うために、低圧モードに移行する。このとき、制御部１５０は、形成された地中経路には少量の空気しか流通しない可能性があるので、低圧時風量上限閾値Ｑ２１、低圧時風量下限閾値Ｑ２２およびＱ２３の値を下げる。これにより、制御部１５０は、排出パイプ１６１の排出風量が小さい場合であっても、低圧モードから地中経路を再形成するための高圧モードに再移行するタイミングが遅くなるので、地熱を極力用いて空調制御を行うことができる。
【００６１】
また、排出風量が高圧時風量上限閾値Ｑ１１よりも大きくなる前に排出圧力が圧力上限閾値Ｐ１２に達してしまう例は、図６または図７に示した例に該当する。図６または図７に示した例の場合には、排出パイプ１６１の排出圧力を圧力上限閾値Ｐ１２より大きくすると、土壌１２に固定の地中経路しか形成されないおそれがあるので、制御部１５０は、圧縮ポンプ１２０の排出圧力を圧力上限閾値Ｐ１２に固定する。
【００６２】
図１０の説明に戻って、制御部１５０は、排出風量が高圧時風量上限閾値Ｑ１１よりも大きくなった場合には（ステップＳ１０２肯定）、圧縮ポンプ１２０の排出圧力を、第１の圧力Ｐ１１に設定制御する（ステップＳ１０８）。
【００６３】
続いて、制御部１５０は、排出パイプ１６１の排出風量が高圧時風量下限閾値Ｑ１２よりも小さいか否かを判定する（ステップＳ１０９）。そして、制御部１５０は、排出風量が高圧時風量下限閾値Ｑ１２以上である場合には（ステップＳ１０９否定）、排出圧力を第１の圧力Ｐ１１に設定してから所定の時間ｔ１２が経過したか否かを判定する（ステップＳ１１０）。そして、制御部１５０は、所定の時間ｔ１２が経過した場合には（ステップＳ１１０否定）、低圧モードへ移行する（ステップＳ１０７）。
【００６４】
排出圧力を第１の圧力Ｐ１１に設定制御した後に所定の時間ｔ１２が経過する例は、図５や図６に示した例に該当する。図５や図６に示した例の場合、制御部１５０は、所望の風量を得るのに十分なだけ地中経路が形成されたと判定して、低圧モードへ移行する。
【００６５】
また、制御部１５０は、所定の時間ｔ１２が経過する前に、排出風量が高圧時風量下限閾値Ｑ１２より小さくなった場合には（ステップＳ１０９肯定）、第２の圧力Ｐ２１や、低圧時圧力上限閾値Ｐ２２の値を標準のデフォルト値よりも上げて設定する（ステップＳ１１１）。そして、制御部１５０は、低圧モードへ移行する（ステップＳ１０７）。
【００６６】
排出圧力を第１の圧力Ｐ１１に設定制御した後に時間ｔ１２経過以前に排出風量が高圧時風量下限閾値Ｑ１２より小さくなる例は、図７に示した例に該当する。図７に示した例の場合には、第１の圧力Ｐ１１で空気を土壌１２へ排出した場合の排出風量が小さいので地中経路の抵抗が大きいと考えられ、低圧時における第２の圧力Ｐ２１を標準のデフォルト値に設定したのでは図５や図６の場合の例よりも排出風量は小さくなる。このため、形成された地中経路に所望の風量の空気を流通させるためには、図４や図５に示した例と比較して、第２の圧力Ｐ２１を上げることが望ましいと考えられる。そこで、制御部１５０は、排出風量がｔ１２経過以前に高圧時風量下限閾値Ｑ１２より小さくなった場合には、形成された地中経路を用いて所望の風量の空気の循環を行うために、第２の圧力Ｐ２１や、低圧時圧力上限閾値Ｐ２２の値を上げて、低圧モードに移行する。これにより、制御部１５０は、地熱を極力用いて空調制御を行うことができる。
【００６７】
［低圧モード時における制御部１５０による排出圧力制御］
次に、図１１を用いて、低圧モード時における制御部１５０による排出圧力制御について説明する。図１１は、低圧モード時における制御部１５０による排出圧力制御を示すフローチャートである。
【００６８】
図１１に示すように、制御部１５０は、低圧モードに移行した場合に、圧縮ポンプ１２０の排出圧力を第２の圧力Ｐ２１に設定制御する（ステップＳ２０１）。続いて、制御部１５０は、風量センサ１７２から排出風量を取得し、取得した排出風量が低圧時風量上限閾値Ｑ２１よりも小さいか否かを判定する（ステップＳ２０２）。そして、制御部１５０は、排出風量が低圧時風量上限閾値Ｑ２１以上である場合には（ステップＳ２０２否定）、排出圧力を下げる（ステップＳ２０３）。そして、制御部１５０は、所定の時間ｔ２１が経過した後に（ステップＳ２０４肯定）、ステップＳ２０２における処理に戻る。
【００６９】
一方、制御部１５０は、排出風量が低圧時風量上限閾値Ｑ２１より小さい場合には（ステップＳ２０２肯定）、排出風量が低圧時風量下限閾値Ｑ２２よりも大きいか否かを判定する（ステップＳ２０５）。そして、制御部１５０は、排出風量が低圧時風量下限閾値Ｑ２２以下になった場合には（ステップＳ２０５否定）、圧力センサ１７１から排出圧力を取得し、取得した排出圧力が低圧時圧力上限閾値Ｐ２２よりも大きいか否かを判定する（ステップＳ２０６）。
【００７０】
そして、制御部１５０は、排出圧力が低圧時圧力上限閾値Ｐ２２以下である場合には（ステップＳ２０６否定）、排出圧力を上げる（ステップＳ２０７）。そして、制御部１５０は、所定の時間ｔ２２が経過した後に（ステップＳ２０８肯定）、ステップＳ２０５における処理に戻る。一方、制御部１５０は、排出圧力が低圧時圧力上限閾値Ｐ２２よりも大きい場合には（ステップＳ２０６肯定）、排出風量が低圧時風量下限閾値Ｑ２３よりも大きいか否かを判定する（ステップＳ２０９）。
【００７１】
そして、制御部１５０は、排出風量が低圧時風量下限閾値Ｑ２３以下になった場合には（ステップＳ２０９否定）、高圧モードへ移行する（ステップＳ２１０）。すなわち、制御部１５０は、図１０に示した処理を行う。前記の低圧モード時の一連の制御により、地中経路を解して地熱で冷却された空気を室内に循環させるとともに、排出圧力による温度上昇を防止し、低い消費電力で地熱を冷却に有効に使うことができる。
【００７２】
［排気圧力等の例］
次に、上述した第１の圧力および第２の圧力の具体的な値について説明する。上述したように、制御部１５０は、第１期間の高圧モード時に、圧縮ポンプ１２０の排出圧力を第１の圧力に設定制御する。これは、第１の圧力で空気を土壌１２へ排出することで、所望の地中経路を形成するためである。ここでは、かかる第１の圧力の具体的な値を検討するために、「土壌改良」の例を用いて説明する。
【００７３】
例えば、土壌に水などの液体が含まれている場合には、地震などで土壌が液状になり、地盤が崩れるおそれがある。そこで、一般に、土壌改良を行うことで、土壌に含まれる液体を空気に置き換える場合がある。具体的には、土壌改良を行う場合には、空気や砂などを所定の圧力で土壌に排出する。このとき、一定値以上の圧力で空気を土壌に排出すると、土壌内に経路が形成されることが知られている。土壌改良の分野では、土壌内に経路が形成されることは望ましくないが、本願の開示する空調制御システムでは、このような土壌の性質を利用して、土壌に経路を積極的に形成する。
【００７４】
一般に、排出パイプ１６１の排出圧力を約７０［ｋｐａ（キロパスカル）］以上にすると、土壌に空気を排出できることが知られている（たとえば、以下に示す＜参考文献＞を参照）。そこで、上述した第１の圧力は、例えば、７０［ｋｐａ］以上に設定することが望ましい。また、土壌に３００［ｋｐａ］以上の圧力で空気を排出すると、土壌１２内に、固定の地中経路が形成されてしまうことが知られているので、上述した圧力上限閾値Ｐ１２は、例えば、約３００［ｋｐａ］に設定することが望ましい。
【００７５】
＜参考文献＞
（１）［http://www.cuee.titech.ac.jp/syutoken/activities/h19pdf/11.pdf］  「地盤の不飽和化による安価な液状化対策工法の開発に向けた基礎的研究」  （２．２等を参照）
（２）［http://www.cuee.titech.ac.jp/syutoken/activities/h19pdf/12.pdf］  「杭基礎構造物の耐震性向上を目指した杭-矢板複合基礎に関する実験的研究」  （２．１等を参照）
（３）［http://www.tech.nedo.go.jp/PDF/100001402.pdf］  「産油国石油精製用海水淡水化研究協力事業」  （４．３等を参照）
（４）［http://www.tech.nedo.go.jp/PDF/100003019.pdf］  「産油国石海水淡水化（オマーン国）研究協力事業」  （３．２．２等を参照）
【００７６】
続いて、第２の圧力の具体的な値について説明する。図１２は、第２の圧力の具体例を説明するための図を示す。図１２に示した縦軸は排出パイプ１６１の排出圧力を示し、横軸は土壌１２の水分含有率を示す。図１２の実験データ例に示すように、地中経路に空気を流通させるための排出圧力は、土壌１２の水分含有率によって異なる。例えば、図１２に示した例の場合には、土壌１２の水分含有率が５［％（パーセント）］である場合には、第２の圧力は、例えば、３０［ｋｐａ］に設定することが望ましい。また、土壌１２の水分含有率が６［％］〜３０［％］である場合には、第２の圧力は、例えば、１０［ｋｐａ］〜２０［ｋｐａ］に設定することが望ましい。図１２では土壌１２の水分含有率を示しているが、地下の非耐水層では水分の一部が空気に置き換わるが同様の値に設定することが望ましい。
【００７７】
次に、排出パイプ１６１と吸引パイプ１６２との距離について説明する。図１３は、パイプ間の距離と温度との関係を示す図である。図１３に示した縦軸は温度を示し、横軸は排出パイプ１６１と吸引パイプ１６２との距離を示す。なお、図１３に示した温度は、吸引パイプ１６２によって吸引される空気の温度であるものとする。このような温度は、例えば、温度センサ１７３ｂによって検知される。
【００７８】
図１３に示した例のように、排出パイプ１６１と吸引パイプ１６２との距離が長いほど、吸引パイプ１６２によって吸引される空気の温度は低くなる。これは、排出パイプ１６１と吸引パイプ１６２との距離が長いほど、空気が地熱で冷やされる時間が長くなるからである。なお、図１３では、地熱の温度が１５［度］であることを前提としているので、吸引パイプ１６２によって吸引される空気の温度が１５［度］以下にならない例を示している。図１３に示したようなデータを用いて、排出パイプ１６１および吸引パイプ１６２の埋設位置を決定することが望ましい。例えば、図１３に示した例において、排出パイプ１６１からの排出温度が２８［℃］で、吸引パイプ１６２によって吸引される空気の温度を１８［度］に設定する場合には、排出パイプ１６１と吸引パイプ１６２との距離がＬ１１になるように、双方のパイプの埋設位置を決定することが望ましい。
【００７９】
［実施例２の効果］
上述してきたように、実施例２に係る空調制御システム１００は、排出風量が低圧時風量下限閾値Ｑ２３以下である場合には、高圧である第１の圧力で、排出パイプ１６１から土壌１２へ空気を排出する。これにより、空調制御システム１００は、土壌１２に地中経路を形成することができる。
【００８０】
また、空調制御システム１００は、地中経路を形成した後には、低圧である第２の圧力で、排出パイプ１６１から土壌１２へ空気を排出することにより、室内の空気を地中経路に流通させて地熱で冷却させ、冷却された空気を室内へ送入する。これにより、実施例２に係る空調制御システム１００は、土壌１２で拡散した空気を地熱によって冷却することができるので、室内の空気を地熱で効率的に冷却することができる。
【００８１】
図２に示した例では、地熱によって冷却された空気は、冷却機１４０への空気流入側で空気混合部１１６で電子機器からの発熱で温度が上昇した室内空気と混合され、冷却機を解して室内に循環される。この例では冷却機１４０は、地熱によって冷却された空気を混合して吸気するので、計算機室１１０の空気よりも低い温度の空気に対して冷却処理を行うことになる。したがって、図２に示した空調制御システム１００は、冷却機１４０の動作量を低減することができると同時に低い温度での効率の良い領域で冷却動作するので、冷却機１４０の消費電力を低減することができる。
【００８２】
なお、図２の例では、地熱によって冷却した空気を空気混合部１１６に入力して空気を循環させているが、本願の実施例は図２の例に限定されない。例えば、地熱により冷却された空気を床下通風路１１３に直接戻して循環させることでも効果が得られる。この場合には冷却機の入力温度は地熱を利用しない場合と同様の温度になるが、床下通風路１１３に地熱で冷却された空気が供給されるので、冷却機の風量を少なくしたり冷却機の出力温度を少し高くすることが可能なので同様に冷却機１４０の消費電力を低減することができる。また、図２のブロワ１３０の出力側の通風路１１５を電子機器１１１に直接導くように形成し、地熱で冷却した空気を循環させることでも効果が得られる。この場合には、例えば発熱量が特に大きな電子機器に対して地熱で冷却された空気を集中的に供給することにより部分的な温度上昇を防ぐことが可能となり、冷却機１４０の風量を削減したり出力温度を高くすることができ、冷却機１４０の消費電力を低減することができる。
【実施例３】
【００８３】
上記実施例１および２では、１本の排出パイプ１６１と、１本の吸引パイプ１６２とを土壌１２に埋設する例を示した。しかし、本願の開示する空調制御システムは、複数の排出パイプ１６１や、複数の吸引パイプ１６２を有してもよい。そこで、実施例３では、複数の排出パイプ１６１や、複数の吸引パイプ１６２を有する空調制御システムの例について説明する。
【００８４】
実施例３に係る空調制御システム２００は、複数の排出パイプと、複数の吸引パイプとを有する。実施例３に係る空調制御システム２００の構成は、排出パイプおよび吸引パイプの本数を除いて、図２に示した空調制御システム１００の構成と同様である。なお、以下では、実施例２における制御部１５０と実施例３における制御部とを区別するために、実施例３における制御部を「制御部２５０」と表記するものとする。
【００８５】
［パイプの埋設位置の例］
まず、図１４〜図１６を用いて、実施例３に係る空調制御システム２００における排出パイプ１６１および吸引パイプ１６２の埋設位置について説明する。図１４〜図１６は、排出パイプ１６１および吸引パイプ１６２の埋設位置の一例を示す図である。なお、図１４〜図１６は、図２に示した計算機室１１０の天井矢視による図である。
【００８６】
図１４に示した例では、排出パイプ１６１と吸引パイプ１６２とが同一の本数であり、排出パイプ１６１および吸引パイプ１６２が平行に埋設されている。また、図１５に示した例では、排出パイプ１６１の方が吸引パイプ１６２よりも本数が多く、排出パイプ１６１および吸引パイプ１６２が、千鳥状に埋設されている。また、図１６に示した例では、排出パイプ１６１の方が吸引パイプ１６２よりも本数が多く、排出パイプ１６１および吸引パイプ１６２が、同心円状に埋設されている。
【００８７】
［圧縮ポンプ１２０の構成］
上記のように、複数の排出パイプ１６１を土壌１２に埋設する場合であっても、空調制御システム２００は、圧縮ポンプ１２０やブロワ１３０を複数有しなくてもよい。図１７に、圧縮ポンプ１２０の構成例を示す。図１７に示した圧縮ポンプ１２０は、複数の排出パイプ１６１が土壌１２に埋設される場合に特に有用である。
【００８８】
図１７に示すように、圧縮ポンプ１２０は、ブロワ１２１ａ〜１２１ｅと、バルブ１２２ａ〜１２２ｅと、合流器１２３ａ〜１２３ｅとを有する。ブロワ１２１ａ〜１２１ｅは、通風路１１４内の空気を所定の圧力で吸引して、それぞれ対応するバルブ１２２ａ〜１２２ｅへ送り込む。
【００８９】
バルブ１２２ａ〜１２２ｅは、ブロワ１２１ａ〜１２１ｅと合流器１２３ａ〜１２３ｅとの間で空気が流通する空間を開閉する。また、バルブ１２２ａ〜１２２ｅは、圧縮ポンプ１２０と合流器１２３ａ〜１２３ｅとの間で空気が流通する空間を開閉する。合流器１２３ａ〜１２３ｅは、圧縮ポンプ１２０から送り込まれた空気と、ブロワ１２１ａ〜１２１ｅから送り込まれた空気とを合流させ、合流させた空気をそれぞれ接続されている排出パイプ１６１ａ〜１６１ｅへ送出する。
【００９０】
ここで、５本の排出パイプ１６１ａ〜１６１ｅが土壌１２に埋設されているものとする。また、排出パイプ１６１ａ〜１６１ｅは、図１７に示した例のように、圧縮ポンプ１２０と接続されているものとする。かかる場合に、制御部２５０は、バルブ１２２ａ〜１２２ｅを空けることにより、計算機室１１０内の空気を同時に排出パイプ１６１ａ〜１６１ｅへ送出することができる。ただし、高圧モード時に排出パイプ１６１ａ〜１６１ｅへ空気を同時に送出する場合には、地中経路を形成するために圧縮ポンプ１２０の圧力を高く設定することが求められる。このような場合には、圧縮ポンプ１２０で空気が高温になってしまうおそれや、消費電力が増大するおそれがある。
【００９１】
そこで、制御部２５０は、地中経路を形成する場合には、例えば、排出パイプ１６１ａ〜１６１ｅに対して、１本ずつ空気を送出してもよい。例えば、制御部２５０は、まず、バルブ１２２ａを開け、バルブ１２２ｂ〜１２２ｅを閉める。このとき、制御部２５０は、ブロワ１２１ｂ〜１２１ｅを停止させてもよい。これにより、排出パイプ１６１ａだけに計算機室１１０内の空気が高圧で送出される。そして、制御部２５０は、図１０に示した処理を行うことにより、排出パイプ１６１ａと所定の吸引パイプとの間で地中経路を形成させる。続いて、制御部２５０は、バルブ１２２ａを閉め、バルブ１２２ｂを開ける。これにより、排出パイプ１６１ｂだけに計算機室１１０内の空気が高圧で送出される。そして、制御部２５０は、図１０に示した処理を行うことにより、排出パイプ１６１ｂと所定の吸引パイプとの間で地中経路を形成させる。制御部２５０は、同様の処理を排出パイプ１６１ｃ〜１６１ｅに対して行う。
【００９２】
このように、空調制御システム２００は、複数の排出パイプを用いる場合には、複数の排出パイプに対して１本ずつ空気を高圧で送出してもよい。これにより、空調制御システム２００は、地中経路を形成する場合に、圧縮ポンプ１２０の排出圧力を非常に高い値に設定しなくてよい。この結果、空調制御システム２００は、複数の排出パイプを用いる場合であっても、圧縮ポンプ１２０で空気が高温になることを防止することができるとともに、消費電力の増大を抑制することができる。
【００９３】
［実施例３の効果］
上述してきたように、実施例３に係る空調制御システム２００は、複数の排出パイプや、複数の吸引パイプを用いて、室内と土壌１２内の地位中経路との間で空気を循環させる。これにより、空調制御システム２００は、室内の多くの空気を地熱によって冷却することができるので、室内の空気を効率的に冷却することができる。
【実施例４】
【００９４】
上記実施例１〜３では、地熱を用いて室内の空気を冷却する例を示した。ここで、本願の開示する空調制御システムは、地熱による冷却効率に基づいて、冷却機の動作量を変動させてもよい。そこで、実施例４では、地熱による冷却効率に基づいて、冷却機の動作量を変動させる例について説明する。
【００９５】
実施例４に係る空調制御システム３００は、複数の排出パイプと、複数の吸引パイプとを有するものとする。実施例４に係る空調制御システム３００の構成は、排出パイプおよび吸引パイプの本数を除いて、図２に示した空調制御システム１００の構成と同様である。また、実施例４における圧縮ポンプ１２０の構成は、図１７に示した圧縮ポンプ１２０の構成と同様であるものとする。なお、以下では、実施例２における制御部１５０と実施例４における制御部とを区別するために、実施例４における制御部を「制御部３５０」と表記するものとする。
【００９６】
［実施例４における制御部３５０の制御］
図１８および図１９を用いて、実施例４に係る空調制御システム３００による空調制御について説明する。図１８は、実施例４における制御部３５０の制御を示すフローチャートである。図１９は、実施例４における制御部３５０の制御を説明するための図である。図１９に示した縦軸は温度または風量を示し、横軸は時間を示す。また、図１９中の実線は吸引パイプによって吸引される空気の温度を示し、点線は排出パイプの排出風量を示す。なお、図１９には、図２に示した温度センサ１７３ａによって検知された温度と、温度センサ１７３ｂによって検知された温度とを示す。以下では、温度センサ１７３ａによって検知された温度に基づいて、空調制御を行う例について説明する。
【００９７】
図１８に示すように、実施例４における制御部３５０は、温度センサ１７３ａによって検知された温度を取得し、取得した温度が所定の温度閾値Ｔ１１よりも低いか否かを判定する（ステップＳ３０１）。なお、吸引パイプによって吸引される空気の温度が温度閾値Ｔ１１以上である場合には、吸引パイプによって吸引された空気は、計算機室１１０を冷却に寄与できないものとする。例えば、吸引パイプによって吸引される空気の温度が「２８℃」であり、計算機室１１０を「２２℃」以下に冷却するものとする。かかる場合には、２８℃の空気を計算機室１１０へ送り込んだとしても、計算機室１１０は冷却されない。
【００９８】
そこで、制御部３５０は、温度が温度閾値Ｔ１１以上である場合には（ステップＳ３０１否定）、温度センサ１７３ａに最も近い位置に埋設されている排出パイプの排出圧力を減少させる（ステップＳ３０２）。このように、制御部３５０は、温度センサ１７３ａに最も近い位置に埋設されている排出パイプの排出圧力を減少させることにより、図１９に示した例のように、かかる排出パイプから排出される風量を減少させる。これにより、地中経路に排出される高温の空気が減少するので、制御部３５０は、地熱による空気の冷却効率を向上させることができる。
【００９９】
続いて、制御部３５０は、土壌１２に埋設されている複数の排出パイプから排出される風量の総和（以下、「総排出量」と言う）を予測する（ステップＳ３０３）。具体的には、制御部３５０は、圧縮ポンプ１２０が有するブロワの動作状態や、バルブ１２２の開閉状態などに基づいて、総排出量を予測する。
【０１００】
続いて、制御部３５０は、ステップＳ３０３において予測した総排出量が所定の総排出閾値Ｑ１１Ｅよりも小さいか否かを判定する（ステップＳ３０４）。そして、制御部３５０は、予測した総排出量が総排出閾値Ｑ１１Ｅ以上である場合には（ステップＳ３０４否定）、地熱を用いた空気の冷却能力があらかじめ期待した冷却能力に対して十分であると判定する。そして、制御部３５０は、地熱による冷却効率が高い排出パイプから排出される空気を増大させるために、低温を検知した温度センサに近い位置に埋設されている排出パイプの排出圧力を上げる（ステップＳ３０５）。
【０１０１】
一方、制御部３５０は、総排出量が総排出閾値Ｑ１１Ｅよりも小さい場合には（ステップＳ３０４肯定）、土壌１２へ排出される空気の総量が少ないので、地熱を用いた空気の冷却能力があらかじめ期待した冷却能力よりも小さくなってしまうと判定する。そして、制御部３５０は、吸引パイプから吸引される温度が上昇しすぎないように吸引パイプの吸引圧力を下げて風量を削減するとともに（ステップＳ３０６）、冷却機１４０の動作量を増大させる（ステップＳ３０７）。
【０１０２】
このように、制御部３５０は、地熱を用いた冷却効率が下がった場合には、土壌１２から吸引する空気の総量を減少させて、冷却機１４０の動作量を増大させることで、計算機室１１０の室内を冷却する。
【０１０３】
続いて、制御部３５０は、温度センサ１７３ａによって検知された温度を取得し、取得した温度が所定の温度閾値Ｔ１２よりも低いか否かを判定する（ステップＳ３０８）。そして、制御部３５０は、温度が温度閾値Ｔ１２より低い場合に（ステップＳ３０８肯定）、低温を検知した温度センサに近い位置に埋設されている排出パイプの排出圧力を上げる（ステップＳ３０９）。また、制御部３５０は、吸引パイプの吸引圧力を上げるとともに（ステップＳ３１０）、冷却機１４０の動作量を減少させる（ステップＳ３１１）。
【０１０４】
このように、制御部３５０は、温度センサ１７３ａによって検知された温度が温度閾値Ｔ１２よりも小さくなった場合には、再度、地熱を用いた空気の冷却機能を用いるために、上記ステップＳ３０９〜Ｓ３１１における処理を行う。
【０１０５】
［実施例４の効果］
上述してきたように、実施例４に係る空調制御システム３００は、地熱によって冷却された空気の温度に基づいて、排出パイプへ排出する風量を変動させる。これにより、実施例４に係る空調制御システム３００は、地熱による空気の冷却が計算機室１１０の冷却に寄与する場合に、地熱による空気の冷却を極力用いることができる。この結果、実施例４に係る空調制御システム３００は、計算機室１１０を効率的に冷却することができる。
【実施例５】
【０１０６】
ところで、本願の開示する空調制御システム等は、上述した実施例以外にも、種々の異なる形態にて実施されてよい。そこで、実施例５では、本願の開示する空調制御システム等の他の実施例について説明する。
【０１０７】
（１）排出風量と吸引風量との関係
上記実施例において、制御部１５０、２５０、３５０は、排出パイプによって排出される排出風量と、吸引パイプによって吸引される吸引風量とが等しくなるように、圧縮ポンプ１２０の排出圧力と、ブロワ１３０の吸引圧力を制御することが好ましい。例えば、図２に示した例において、制御部１５０は、排出パイプ１６１の排出風量と、吸引パイプ１６２の吸引風量とがほぼ等しくなるように、圧縮ポンプ１２０の排出圧力と、ブロワ１３０の吸引圧力を制御することが好ましい。また、例えば、図１４に示した例において、制御部２５０は、９本の排出パイプ１６１の排出風量の総和と、９本の吸引パイプ１６２の吸引風量の総和とはほぼ等しくなるように制御することが好ましい。これは、排出風量と吸引風量とが等しい場合、計算機室１１０の空気が地中に廃棄されず、地中経路を経由して循環していると言えるからである。すなわち、制御部１５０、２５０、３５０は、排出パイプの排出風量と吸引パイプの吸引風量とが等しくなるように、排出圧力と吸引圧力とを制御することにより、地中や室外に空気を放出するだけの従来技術と比較して、環境に良い空調制御を行うことができる。
【０１０８】
また、図１５または図１６に示した例では、排出パイプ１６１の本数は吸引パイプ１６２の本数より多いが、制御部１５０は、排出パイプ１６１の排出風量の総和と、吸引パイプ１６２の吸引風量の総和がほぼ等しくなるように制御することが好ましい。この場合には本数の多い排出パイプの排出圧力を低くすることができ、環境に良い空調制御を行うことができるとともに、排出圧力による温度上昇を防止して効率良く地熱を利用した空調システムを実現できる。
【０１０９】
（２）第１期間の排出圧力
上記実施例では、第１期間において、圧縮ポンプ１２０の排出圧力を高圧である第１の圧力に設定する例を示した。しかし、土壌１２の質によっては、低圧で空気を排出しても地中経路が形成される場合がある。したがって、制御部１５０、２５０、３５０は、低圧でも地中経路が形成される土壌１２である場合には、第１期間においても圧縮ポンプ１２０の排出圧力を低圧に設定してもよい。これにより、空調制御システム１００、２００、３００は、土壌１２の質によっては、低圧で地中経路を形成することができ、その結果、圧縮ポンプ１２０で空気の温度が上昇してしまうことを防止できるとともに、消費電力を低減することができる。
【０１１０】
（３）空調制御プログラム
また、上記実施例１〜４で説明した空調制御システムの各種の処理は、あらかじめ用意されたプログラムをパーソナルコンピュータやワークステーションなどのコンピュータシステムで実行することによって実現することもできる。また制御機器に組み込まれたマイクロコンピュータで実行することもできる。そこで、以下では、図２０を用いて、上記実施例２で説明した空調制御システム１００と同様の機能を有する空調制御プログラムを実行するコンピュータの一例を説明する。図２０は、空調制御プログラムを実行するコンピュータを示す図である。
【０１１１】
図２０に示すように、空調制御システム１としてコンピュータ１０００は、ＨＤＤ（Hard  Disk  Drive）１０１０、ＲＡＭ（Random  Access  Memory）１０２０およびＣＰＵ（Central  Processing  Unit）１０３０をバス１０４０で接続して構成される。
【０１１２】
ここで、ＨＤＤ１０１０は、ＣＰＵ１０３０による各種処理の実行時に用いられる情報を記憶する。ＲＡＭ１０２０は、各種情報を一時的に記憶する。ＣＰＵ１０３０は、各種演算処理を実行する。
【０１１３】
そして、ＨＤＤ１０１０には、図２０に示すように、図２に示した空調制御システム１の制御部１５０と同様の機能を発揮する空調制御プログラム１０１１があらかじめ記憶されている。なお、この空調制御プログラム１０１１を適宜分散させて、ネットワークを介して通信可能に接続された他のコンピュータの記憶部に記憶させておくこともできる。
【０１１４】
そして、ＣＰＵ１０３０が、この空調制御プログラム１０１１をＨＤＤ１０１０から読み出してＲＡＭ１０２０に展開することにより、図２０に示すように、空調制御プログラム１０１１は空調制御プロセス１０２１として機能するようになる。
【０１１５】
なお、上記の空調制御プログラム１０１１については、必ずしも最初からＨＤＤ１０１０に記憶させておかなくてもよい。例えば、コンピュータ１０００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ１０００がこれらから各プログラムを読み出して実行するようにしてもよい。
【０１１６】
さらには、公衆回線、インターネット、ＬＡＮ、ＷＡＮなどを介してコンピュータ１０００に接続される「他のコンピュータ（またはサーバ）」などに各プログラムを記憶させておく。そして、コンピュータ１０００がこれらから各プログラムを読み出して実行するようにしてもよい。
【０１１７】
（４）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１８】
また、図示した各構成要素数や、数値等は、一例であって、必ずしも図示の如く構成されていることを要しない。例えば、図２では、空調制御システム１００が、１台の冷却機１４０を有する例を示したが、空調制御システム１００が有する冷却機の数は１台に限られない。例えば、空調制御システム１００は、２台以上の冷却機を有してもよい。
【０１１９】
以上の各実施例を含む実施形態に関し、さらに以下の付記を開示する。
【０１２０】
（付記１）空気を地中へ排出する排出パイプと、
室内の空気を所定の排出圧力で前記排出パイプへ送出する送出部と、
前記排出パイプによって排出された空気によって地中に形成された地中経路を介して、前記排出パイプによって排出された空気を吸引する吸引パイプと、
前記吸引パイプから所定の吸引圧力で吸引した空気を前記室内へ送入する送入部と
を備えたことを特徴とする空調制御システム。
【０１２１】
（付記２）前記排出パイプから地中へ排出される空気の排出風量が所定の低圧時風量下限閾値以下である場合に、前記排出圧力を第一の圧力に設定制御し、前記排出圧力を第一の圧力に設定制御した後に所定の時間が経過した場合に、前記排出圧力を前記第一の圧力よりも低い第二の圧力に設定制御する制御部をさらに備えたことを特徴とする付記１に記載の空調制御システム。
【０１２２】
（付記３）前記制御部は、前記排出風量が前記低圧時風量下限閾値以下である場合に、前記排出風量が所定の高圧時風量上限閾値よりも大きくなるまで前記排出圧力を上げて、前記排出風量が前記高圧時風量上限閾値よりも大きくなった場合に、前記排出圧力を前記第一の圧力に設定制御することを特徴とする付記２に記載の空調制御システム。
【０１２３】
（付記４）前記制御部は、前記排出風量が前記高圧時風量上限閾値よりも大きくなるまで前記排出圧力を上げて、該排出圧力が所定の圧力上限閾値よりも大きくなった場合に、前記排出圧力を前記圧力上限閾値以下の圧力に設定制御し、所定の時間が経過した後に、前記排出圧力を前記第一の圧力に設定制御することを特徴とする付記３に記載の空調制御システム。
【０１２４】
（付記５）前記制御部は、前記前記排出圧力を前記第一の圧力に設定制御した後に、前記排出風量が所定の高圧時風量下限閾値よりも小さくなった場合に、前記排出圧力を前記第一の圧力と前記第二の圧力の中間の圧力に設定制御することを特徴とする付記２〜４のいずれか一つに記載の空調制御システム。
【０１２５】
（付記６）前記制御部は、前記地中を形成する土壌の質に応じて、前記第一の圧力を、地中に前記地中経路が形成される圧力にすることを決定することを特徴とする付記２〜５のいずれか一つに記載の空調制御システム。
【０１２６】
（付記７）前記室内の空気を冷却する冷却機をさらに備え、
前記制御部は、前記送入部によって前記吸引パイプから吸引された空気の温度が所定の温度閾値以上である場合には、前記排出圧力および前記吸引圧力を減少させるとともに、前記冷却機の動作量を増大させることを特徴とする付記２〜６のいずれか一つに記載の空調制御システム。
【０１２７】
（付記８）前記排出パイプの数は１本または複数本であり、前記吸引パイプの数は1本または複数本であり、
前記制御部は、前記排出パイプから排出される風量の総和と、前記吸引パイプから吸引される風量の総和が略同一になるように制御することを特徴とする付記２〜７のいずれか一つに記載の空調制御システム。
【０１２８】
（付記９）前記排出パイプの数は、前記吸引パイプの数より多いことを特徴とする付記１〜８のいずれか一つに記載の空調制御システム。
【０１２９】
（付記１０）前記排出パイプの数は複数本であり、
前記制御部は、地中の温度が高い場所の近傍に位置する排出パイプの排出圧力を、地中の温度が低い場所の近傍に位置する排出パイプの排出圧力よりも相対的に低く制御することを特徴とする付記２〜９のいずれか一つに記載の空調制御システム。
【０１３０】
（付記１１）空気を地中へ排出する排出パイプと、地中から空気を吸引する吸引パイプとを有する空調制御システムが行う空調制御方法であって、
前記空調制御システムは、
前記室内の空気を所定の排出圧力で前記排出パイプへ送出する送出ステップと、
少なくとも一部が前記排出パイプによって排出された空気によって地中に形成された地中経路を介して前記排出パイプによって排出された空気を、吸引パイプから所定の吸引圧力で吸引し、吸引した空気を前記室内へ送入する送入ステップと、
前記排出パイプから地中へ排出される空気の排出風量が所定の低圧時風量下限閾値以下である場合に、前記排出圧力を第一の圧力に設定制御し、前記排出圧力を第一の圧力に設定制御した後に所定の時間が経過した場合に、前記排出圧力を前記第一の圧力よりも低い第二の圧力に設定制御する制御ステップと
を実行することを特徴とする空調制御方法。
【０１３１】
（付記１２）空気を地中へ排出する排出パイプと、地中から空気を吸引する吸引パイプとを有する空調制御システムを制御するコンピュータに空調制御を実行させる空調制御プログラムであって、
前記コンピュータに、
前記室内の空気を所定の排出圧力で前記排出パイプへ送出する送出手順と、
少なくとも一部が前記排出パイプによって排出された空気によって地中に形成された地中経路を介して前記排出パイプによって排出された空気を、吸引パイプから所定の吸引圧力で吸引し、吸引した空気を前記室内へ送入する送入手順と、
前記排出パイプから地中へ排出される空気の排出風量が所定の低圧時風量下限閾値以下である場合に、前記排出圧力を第一の圧力に設定制御し、前記排出圧力を第一の圧力に設定制御した後に所定の時間が経過した場合に、前記排出圧力を前記第一の圧力よりも低い第二の圧力に設定制御する制御手順と
を実行させることを特徴とする空調制御プログラム。
【符号の説明】
【０１３２】
１、１００、２００、３００  空調制御システム
２  地中
３  部屋
４  排出パイプ
５  吸引パイプ
６  送出部
７  送入部
１０  建物
１１  地盤
１２  土壌
１３ａ  建物基礎
１１０  計算機室
１１１ａ〜１１１ｄ  電子機器
１１２  天井裏通風路
１１３  床下通風路
１２０  圧縮ポンプ
１３０  ブロワ
１４０  冷却機
１５０  制御部
１６１  排出パイプ
１６２  吸引パイプ
１７１  圧力センサ
１７２  風量センサ
１７３ａ、１７３ｂ  温度センサ
【図１】
2011080645.tif 000003
【図２】
2011080645.tif 000004
【図３】
2011080645.tif 000005
【図４】
2011080645.tif 000006
【図５】
2011080645.tif 000007
【図６】
2011080645.tif 000008
【図７】
2011080645.tif 000009
【図８】
2011080645.tif 000010
【図９】
2011080645.tif 000011
【図１０】
2011080645.tif 000012
【図１１】
2011080645.tif 000013
【図１２】
2011080645.tif 000014
【図１３】
2011080645.tif 000015
【図１４】
2011080645.tif 000016
【図１５】
2011080645.tif 000017
【図１６】
2011080645.tif 000018
【図１７】
2011080645.tif 000019
【図１８】
2011080645.tif 000020
【図１９】
2011080645.tif 000021
【図２０】
2011080645.tif 000022